(57)【要約】【課題】遊技機および制御装置の識別情報と紐付けされた識別情報を光学的に認識可能な光学式認識コードとして印刷された封印シールを備え、この封印シールの光学式認識コードが容易に読取り可能な制御基板ケースを提供する。【解決手段】封印シール４４は、特定情報を示す二次元バーコード５５が外部から読み取り可能な特定情報部４４ａを備える。この封印シール４４は、受部ケース４２および蓋部ケース４３を分離することにより破損させられる。制御基板ケース４０は、封印シール４４が貼付される貼付部４９を備える。封印シール４４の特定情報部４４ａには、特定情報が光学的に認識可能な二次元バーコード５５として印刷されている。遊技機から制御基板ケース４０を取り外すことなく、少なくとも一方向から二次元バーコード５５が光学的に認識可能になる貼付部４９の認識用貼付面６１に特定情報部４４ａが配置される。【選択図】図９
2014104028.tif 000002
【特許請求の範囲】
【請求項１】
遊技用制御基板を受け入れる受部ケースと、
この受部ケースに係合されて、前記受部ケースとともに前記遊技用制御基板への外部からの操作を防止する蓋部ケースと、
これら前記受部ケースおよび前記蓋部ケースを互いに固定するとともに固定解除した場合に固定解除したことが視認可能でかつ固定解除前の状態に回復困難なカシメ部と、
前記遊技機を特定可能な遊技機情報および前記遊技用制御基板上の記憶手段を有する制御装置を特定可能な制御装置情報の両方に紐付けされた特定情報を外部から読み取り可能な特定情報部を備え、前記受部ケースおよび前記蓋部ケースを分離することにより破損させられるとともに破損させられた場合に破損したことが視認可能で破損前の状態に回復困難な封印シールと、
前記封印シールが貼付される貼付部とを備える遊技機用の制御基板ケースであって、
前記封印シールの前記特定情報部には、前記特定情報が光学的に認識可能な光学式認識コードとして印刷され、
前記貼付部は、前記封印シールの前記特定情報部が貼付された場合に、前記遊技機から取り外すことなく、少なくとも一方向から前記光学式認識コードが光学的に認識可能になる認識用貼付面を備え、
前記封印シールは、前記光学式認識コードが印刷された前記特定情報部が前記認識用貼付面に位置するように前記貼付部に貼付されていることを特徴とする遊技機用の制御基板ケース。
【請求項２】
前記認識用貼付面は、前記受部ケースの一部と、前記蓋部ケースの一部とから構成され、前記受部ケースと前記蓋部ケースとを分離した際に、前記認識用貼付面が分断されることにより前記封印シールを破損することを特徴とする請求項１に記載の遊技機用の制御基板ケース。
【請求項３】
前記貼付部には、前記認識用貼付面に隣接または近接するとともに前記認識用貼付面との間に角部を挟んで前記認識用貼付面とは異なる方向を向き、かつ、前記受部ケースの一部と、前記蓋部ケースの一部とから構成される接合貼付面を備え、
前記封印シールは、前記角部で屈曲した状態で前記認識用貼付面と前記接合貼付面とに跨って貼付され、前記受部ケースと前記蓋部ケースとを分離した際に前記接合貼付面が分断されることにより前記封印シールを破損することを特徴とする請求項１に記載の遊技機用の制御基板ケース。
【発明の詳細な説明】
【技術分野】
【０００１】
本発明は遊技機用の制御基板ケースに関する。
【背景技術】
【０００２】
一般的なパチンコ遊技機Ｐは、たとえば、図１１に示すように、遊技場の島設備に設置される縦長方形状の機枠１と、機枠１に扉状に開閉自在に取り付けられた本体枠２と、本体枠２の前面に扉状に開閉自在に取り付けられたガラス扉３等を備えており、ガラス扉３にはガラスやプラスチック等からなる透明板４が取り付けられている。
【０００３】
また、図１２に示すように、機枠１の左側枠部には上側軸受け体５と下側軸受け体（図示せず）が固着されており、この下側軸受け体よりも下方の左下隅部には大型のスピーカ６が配設されている。一方、本体枠２の左側枠部の上下両端には第１ピン（図示せず）が設けられており、これら両第１ピンが対応する上下の軸受け体に軸支されることにより、本体枠２は機枠１に対して開閉自在となっている。
【０００４】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカ装置、遊技釘、風車、アウト口等が設けられている。遊技盤７よりも下方の本体枠２はガラス扉３によって覆い隠される設置部２ｂとなっており、この設置部２ｂ内の下部中央には遊技球を遊技領域９に向けて発射する発射装置１０が配設されている。
【０００５】
ガラス扉３の左側枠部の上下両端には第２ピン（図示せず）が設けられており、これら両第２ピンを本体枠２の上下の軸孔（図示せず）に挿入することにより、ガラス扉３は本体枠２に対して開閉自在となっている。図１１に戻り、ガラス扉３には遊技盤７の盤面に対向する大きな開口３ａが開設されており、この開口３ａは透明板４によって塞がれている。ガラス扉３の前面上部には比較的小型のスピーカ１２が左右に１個ずつ配設されており、これらスピーカ１２と前述した大型のスピーカ６とによって遊技に関する様々な効果音を発するようになっている。また、ガラス扉３の前面下部には、遊技盤７の裏面に配設された球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１３の右側方には発射装置１０の発射強度を調整するための操作ハンドル１６が配設されている。
【０００６】
図１３に示すように、このパチンコ機Ｐの背面側には、遊技に関する主要な処理を行う主制御処理部１７と、主制御処理部１７からの指令を受けて可変表示装置やスピーカ等の各種装置を制御する副制御処理部１８と、賞球払出装置１９と、主制御処理部１７からの指令を受けて賞球払出装置１９を制御する払出制御処理部２０と、操作ハンドル１６の回動量に応じて発射装置１０の作動を制御する発射制御処理部２１と、賞球数や大当たり回数等の各種情報を遊技場のホールコンピュータに出力する外部端子基板２２等が設けられている。
【０００７】
主制御処理部１７は、ＣＰＵ、ＲＯＭ、ＲＡＭ等がワンチップに搭載された遊技用ワンチップマイコン（マイクロコンピュータ、マイクロコントローラ）が実装された制御基板（メイン基板）を備えており、このＣＰＵがＲＯＭに格納された各種プログラムやデータを読み込んで実行することにより、遊技に関する主要な処理が行われる。主制御処理部１７の制御基板は制御基板ケース３０内に収納されており、この制御基板ケース３０が固定台を介して遊技盤７の裏面に支持されている。
また、制御基板ケース３０は、制御基板を受け入れて制御基板が固定されている受部ケース３１と、受部ケース３１に係合して外部から制御基板への操作を防止する蓋部ケース３２を備えており、これら受部ケース３１と蓋部ケース３２は、後述のように固定されている。
【０００８】
このようなパチンコ遊技機や、パチスロ（スロットマシン）では、大当たりの抽選等の遊技の制御を行う制御回路（制御装置）を備えた主制御処理部１７の制御基板から、例えば、制御装置のプログラムやプログラムで使用されるデータが記憶されたＲＯＭを異なるデータやプログラムが記憶された別のＲＯＭに代えてしまう不正が行われることがあった。このような不正が行われると、プログラムやプログラムで使用されるデータを変更することにより、大当たりの発生の仕方等が変わってしまい、遊技のやり方によっては、通常より遊技球の払出を多くすることが可能になる。
【０００９】
現在、上述のように遊技機用ワンチップマイコンとして、プログラム等用のＲＯＭやＲＡＭを内蔵したマイコンが使用されており、制御基板に対する不正を行う場合に、制御基板ごと交換したり、遊技機用ワンチップマイコンを交換したりすることが行われる場合がある。
【００１０】
それに対して、遊技機では、上述のように制御基板を制御基板ケース３０内に収納した状態で、遊技機Ｐの遊技盤７の裏面側に取り付けるような構造となっている。この制御基板ケース３０は、上述の受部ケース３１と蓋部ケース３２とからなり、外部から制御基板の主要部に触れないようになっている。
【００１１】
但し、電源端子や、信号の入出力端子には、外部から配線を接続可能になっている。
また、受部ケース３１と蓋部ケース３２は、カシメ部３３により接合されている。
カシメ部３３では、カシメネジ等を用いて制御基板ケース３０の１つの側部側で、受部ケース３１と、蓋部ケース３２とを接合している。カシメ部３３では、受部ケース３１と蓋部ケース３２とを取り外し困難になるように接合しているとともに、接合を解除する場合に、カシメ部３３の一部を破壊しないと、受部ケース３１から蓋部ケース３２を取り外せないようになっており、カシメ部３３で受部ケース３１と蓋部ケース３２とを取り外すと、カシメ部３３が破損し、外部から受部ケース３１と蓋部ケース３２とが取り外されたことがわかるようになっている。この場合に、一度カシメ部３３を破損させてしまうと、
修復が困難であり、元の状態に回復できず、制御基板ケースを開けたことを隠すことが困難になっている。
【００１２】
また、修理等のために、制御基板ケース３０を正規に開放する場合には、たとえば、カシメ部３３を切り取ることにより、受部ケース３１と蓋部ケース３２とを分離して、内部の制御基板を取り出している。したがって、修理のために制御基板を取り出した後に新たな制御基板ケース３０に制御基板を収納する必要がある。
【００１３】
また、制御基板ケース３０の別の位置では、受部ケース３１と蓋部ケース３２とに跨って図示しない封印シールが貼られており、受部ケース３１と蓋部ケース３２とを分離すると、封印シールが破損したり、剥がれたりするようになっている。封印シールが剥がれた場合には、封印シールおよび封印シールが貼られた部分に、開封跡が残り、開封したことが分かるようになっている。また、封印シールは、平たい形状の制御基板ケースの側縁部で、受部ケース３１と蓋部ケース３２とに跨るように貼付されることから、断面形状がＬ字状やコ字状の状態で制御基板ケースに貼付されている（例えば、特許文献１、２参照）。
【００１４】
また、封印シールには、開封されたか否かを判定するためだけに用いられるものではなく、制御基板ケース３０（封印シール）毎に異なる識別情報（特定情報）が封印シールに付けられている。すなわち、封印シールは、各制御基板ケース（封印シール）を認識可能にする特定情報を有するものとなっている。ここで、制御基板ケース（封印シール）を認識可能とするとは、例えば、所謂ＩＤ（ｉｄｅｎｔｉｆｉｃａｔｉｏｎ）としての特定情報により、各制御基板ケースを個々に識別可能な状態に認識できるということである。
この特定情報は、例えば、特許文献２に示すように封印シールに設けられた微細なＩＣタグ（ＲＦＩＤ）に記憶されている。したがって、同様の封印シールであっても、ＩＣタグに記憶されている識別情報は異なるものとなる。
【００１５】
この封印シールの特定情報は、制御基板に設けられた制御装置および記憶装置としての遊技用ワンチップマイコン毎に付けられて、各遊技機の遊技用ワンチップマイコンを識別可能な識別情報（制御装置情報）と紐付けされて例えば遊技機を管理するためのデータベースに記憶されている。また、封印シールの特定情報は、各遊技機毎に付けられて各遊技機を識別可能な識別情報（遊技機情報）と紐付けてされて上述のデータベースに記憶されている。
【００１６】
すなわち、遊技機管理用のデータベースにおいて、各遊技機単位に遊技機の遊技機情報と、遊技用ワンチップマイコンの制御装置情報と、封印シールの特定情報とが紐付けされており、いずれか一つの識別情報が分かれば他の二つの識別情報がわかるようになっている。
【００１７】
なお、遊技機の遊技機情報は、例えば、シール等に記載されて遊技機の見やすい部分（正面でなく背面であってもよい）に、貼付される。また、遊技用ワンチップマイコンの識別情報は、遊技用ワンチップマイコンに搭載されたＲＯＭ等に記憶されており、例えば、制御基板ケースに設けられた開口から制御基板の識別情報を読み出すための接続端子に読取装置のコネクタ部を接続することにより、遊技用ワンチップマイコンに記憶された制御装置情報を読み取り可能になっている。
また、封印シールのＩＤタグに記憶された特定情報は、ＩＤタグ用の読取装置により読取り可能である。
【００１８】
これら三つの識別情報は、データベース上で互いに各遊技機毎に紐付けされており、遊技機において、三つの識別情報を読み取って、データベースを検索した場合い、三つの識別情報が互いに紐付けされた一組のデータであることが確認できるようになっている。
【００１９】
ここで、搭載されたＲＯＭに不正なプログラムやデータが書き込まれた遊技用ワンチップマイコンと、制御基板ケース３０内の遊技用ワンチップマイコンとを交換したり、制御基板ケース内の遊技用ワンチップマイコンに記憶されているデータやプログラムを書き換えたりする不正行為を行う場合に、制御基板ケース３０を壊したり、封印シールを破損したりする可能性が高い。このような場合には、制御基板ケース３０や封印シールが破損していることで不正行為が直ぐにばれてしまうので、制御基板ケース３０を交換したり、封印シールを交換したり、制御基板ケース３０と一緒に制御基板を交換したりすることが考えられる。この場合に、封印シールの特定情報や、遊技用ワンチップマイコンの制御装置情報が、遊技機の遊技機情報に紐付けされた特定情報や制御装置情報と異なるものとなってしまう。
【００２０】
これにより、遊技機情報、制御装置情報、特定情報を確認することで、遊技のプログラムやそのデータを変えてしまうような不正行為をより確実に見つけ出すことができる。
【先行技術文献】
【特許文献】
【００２１】
【特許文献１】特開２０１２−５７２３号公報
【特許文献２】特開２０１２−１７０５４８号公報
【発明の概要】
【発明が解決しようとする課題】
【００２２】
ところで、上述のように紐付けされた識別情報で不正行為を早期に発見するためには、頻繁に識別情報をチェックする必要がある。確かに、カシメ部や封印シールと合わせて、上述の紐付けされた識別情報を用いることにより識別情報をチェックしなくとも抑止効果を望むことができるが、一度不正行為を行っても長い期間不正行為が露見しないことが分かってしまうと、抑止効果もなくなってしまう。
【００２３】
したがって、上述の識別情報のチェックを比較的頻繁に行うことが望まれるが、必ずしもＩＣタグの読取装置が普及しているとはいいがたく、遊技店によっては、ＩＣタグの読取装置がなく、封印シールの特定情報をチェックするこができない場合があった。
そこで、一般に携帯電話機に読取用のアプリケーションが搭載されている二次元バーコード（光学式認識コード）としてのＱＲコード（登録商標）と、通常の文字列とにより、識別情報を封印シールに印刷することが提案されている。
【００２４】
ここで、ＩＣタグからのデータの読み取りは、ＩＣタグに読取装置を近接させて電源供給のために電波を照射するとともに、微弱な電波による信号を受信することで行われる。
したがって、ＩＣタグが封印シールにより制御基板ケースのどのような位置に貼付されても、読取装置を近接できれば、データの読み取りが可能である。また、封印シールの部分に封印シールを保護するための透明なカバーを取り付けるが、透明なカバーが読取装置の近接を妨げなければ、カバーにより、データの読み取りが阻害されるようなことがない。
【００２５】
それに対して、二次元バーコードでは、ＩＣタグの読取装置に比較して読取装置（光学式認識装置）が普及しているが、読取装置のセンサ（例えば、デジタルカメラ）が二次元バーコードに対して所定の角度範囲内で向き合える構造となっているなど、ＩＣタグの読み取りと異なり、二次元バーコードを読み取り可能とするための様々な条件が存在し、ＩＣタグの場合に比較して読取りが難しくなる。
【００２６】
また、透明カバーで二次元バーコードが印刷された封印シールを覆う構造の場合に、透明カバーが読み取りを阻害する可能性がある。特に、透明カバー側に制御基板ケース３０の角部を覆うための屈曲部分や、湾曲部分があると、読取装置が上述のように二次元バーコードに対して所定の角度範囲内で対向した状態でも、二次元バーコードとセンサとの間に透明カバーの屈曲部や湾曲部が介在してしまうような状況では、透明カバーによる光の屈折や反射により２次元バーコードの光学的読み取りが困難になってしまう。
【００２７】
以上のように、ＩＣタグに代えて、２次元バーコードを用いることにより識別情報の読み取りが難しくなる。また、識別情報を示す２次元バーコードと、文字列として印刷された識別情報とが封印シールに印刷されている場合に、二次元バーコードの光学的な読み取りに失敗しても、係員が目視認識して封印シールの文字列を書き写すことにより識別情報を得ることができる。しかし、この場合も印刷された文字列が操作者に視認できる位置にある必要がある。また、文字列を操作者が書き写した後に、上述のように紐付けされた各識別情報が登録されたデータベースに対して文字列を入力する場合に、文字列を手作業で書き写す際と、文字列を手作業で入力する際に文字列を間違える虞がある。
【００２８】
本発明は、前記事情に鑑みて為されたもので、遊技機や、遊技用ワンチップマイコン等の制御装置の識別情報と紐付けされた識別情報を光学的に認識可能な光学式認識コードとして印刷された封印シールを備え、この封印シールの光学式認識コードが容易に読取り可能な制御基板ケースを提供することを目的とする。
【課題を解決するための手段】
【００２９】
前記課題を解決するために、本発明の制御基板ケースは、遊技用制御基板を受け入れる受部ケースと、
この受部ケースに係合されて、前記受部ケースとともに前記遊技用制御基板への外部からの操作を防止する蓋部ケースと、
これら前記受部ケースおよび前記蓋部ケースを互いに固定するとともに固定解除した場合に固定解除したことが視認可能でかつ固定解除前の状態に回復不可能なカシメ部と、
前記遊技機を特定可能な遊技機情報および前記遊技用制御基板上の記憶手段を有する制御装置を特定可能な制御装置情報の両方に紐付けされた特定情報を外部から読み取り可能な特定情報部を備え、前記受部ケースおよび前記蓋部ケースを分離することにより破損させられるとともに破損させられた場合に破損したことが視認可能で破損前の状態に回復困難な封印シールと、
前記封印シールが貼付される貼付部とを備える遊技機用の制御基板ケースであって、
前記封印シールの前記特定情報部には、前記特定情報が光学的に認識可能な光学式認識コードとして印刷され、
前記貼付部は、前記封印シールの前記特定情報部が貼付された場合に、前記遊技機から取り外すことなく、少なくとも一方向から前記光学式認識コードが光学的に認識可能になる認識用貼付面を備え、
前記封印シールは、前記光学式認識コードが印刷された前記特定情報部が前記認識用貼付面に位置するように前記貼付部に貼付されていることを特徴とする。
【００３０】
このような構成によれば、封印シールの特定情報部に印刷された光学式認識コードが認識用貼付面に位置することになり、少なくとも一方向から光学式認識コードを読取装置により読み取ることが可能になる。この読取装置で読み取った光学式認識コードは、例えば、読取装置のモニタに表示されるとともに、紐付けされた各識別情報が登録されたデータベースに入力可能になっていることが好ましい。なお、読取装置に上述のデータベースを記憶する記憶装置が備えられ、読取られた特定情報、制御装置情報および遊技機情報の組み合わせが、データベース上で互いに紐付けされた特定情報、制御装置情報および遊技機情報の組み合わせと一致するか否か判定可能としてもよい。この場合に、特定情報の読取装置が、遊技機の遊技機情報を読み取るための機能を有していてもよいし、制御装置の制御装置情報を読み取るための機能を有していてもよい。
【００３１】
本発明の上記構成において、前記認識用貼付面は、前記受部ケースの一部と、前記蓋部ケースの一部とから構成され、前記受部ケースと前記蓋部ケースとを分離した際に、前記認識用貼付面が分断されることにより前記封印シールを破損することが好ましい。
【００３２】
認識用貼付面が、受部ケースの一部と、蓋部ケースの一部とからなっているので、認識用貼付面にだけに封印シールが貼られていても、封印シールとして機能することになる。すなわち、受部ケースと蓋部ケースとを分離した場合に、認識用貼付面が分断され、封印シールが復元不能に破損されるので、認識用貼付面に封印シールが貼られていれば、封印シールとして機能することになる。したがって、封印シールが認識用貼付面以外に貼られる必要がなく、例えば、封印シールをＬ字状やコ字状に曲げてはる必要はなく、一つの平面とされた認識用貼付面に封印シールを貼ればよく、この場合に、封印シールのいずれの箇所でも特定情報部として光学式認識コードを印刷することができる。なお、認識用貼付面は、上述のように光学式認識コードを読み取れる方向なら遊技機に対していずれの方向を向いていてもよいが、読取りの作業性を考慮した場合に、遊技機の背面側を向いていることが好ましい。
【００３３】
また、本発明の上記構成において、前記貼付部には、前記認識用貼付面に隣接または近接するとともに前記認識用貼付面との間に角部を挟んで前記認識用貼付面とは異なる方向を向き、かつ、前記受部ケースの一部と、前記蓋部ケースの一部とから構成される接合貼付面を備え、
前記封印シールは、前記角部で屈曲した状態で前記認識用貼付面と前記接合貼付面とに跨って貼付され、前記受部ケースと前記蓋部ケースとを分離した際に前記接合貼付面が分断されることにより前記封印シールを破損することが好ましい。
【００３４】
このような構成によれば、封印シールを制御基板ケースの側縁部で重なった状態に配置される受部ケースと蓋部ケースとに跨って封印シールをＬ字状またはコ字状に貼る際に、認識用貼付面と、受部ケースの一部と蓋部ケースの一部とから構成される接合貼付面との間に制御基板ケースの角部が配置されることになり、少なくともＬ字状に封印シールが貼られることになる。この場合も、認識用貼付面に封印シールの特定情報部が貼付されていれば、特定情報部に印刷された光学式認識コードを、少なくとも一方向から読取装置により読取ることが可能になる。
また、封印シールは、受部ケースと蓋部ケースとを分離した際に分断される接合貼付面に貼られた部分が、破損させられることになり、封印シールとして問題なく機能することになる。
【発明の効果】
【００３５】
本発明によれば、封印シールに遊技機の識別情報（遊技機情報）と制御装置の識別情報（制御装置情報）と紐付けされた識別情報（特定情報）が光学式認識コードとして封印シールに印刷されている場合に、光学式認識コードの読み取りを容易にすることができる。
【図面の簡単な説明】
【００３６】
【図１】本発明の第１実施形態に係る制御基板ケースが備えられるパチンコ遊技機の遊技盤を示す正面図である。
【図２】前記制御基板ケースが備えられた遊技盤を示す背面図である。
【図３】前記制御基板ケースが備えられた遊技盤を示す背面側斜視図である。
【図４】前記制御基板ケースが備えられた遊技盤を示す側面図である。
【図５】前記制御基板ケースを示す斜視図である。
【図６】前記制御基板ケースを示す平面図である。
【図７】前記制御基板ケースを示す正面図である。
【図８】図７のＡ−Ａ矢視断面図である。
【図９】前記制御基板ケースの封印シールの貼付状態を説明するための貼付部概略図である。
【図１０】本発明の第２実施例にかかる制御基板ケースの封印シールの貼付状態を示す概略図である。
【図１１】従来のパチンコ遊技機を示す斜視図である。
【図１２】従来のガラス扉を開放したパチンコ遊技機を示す斜視図である。
【図１３】従来のパチンコ遊技機を示す背面図である。
【発明を実施するための形態】
【００３７】
本発明の第１の実施の形態のパチンコ遊技機の制御基板ケースについて図面を参照して説明する。
図１から図４は、第１の実施の形態の制御基板ケース４０を備える遊技盤７を示すものである。この遊技盤７は、背景技術で説明したようにパチンコ遊技機Ｐの本体枠２に収納されて支持されるものである。なお、基本的に制御基板ケース４０以外の遊技盤７を含むパチンコ遊技機の構成は、従来と略同様の構成とすることができる。
図１では、遊技盤７の可変表示装置としての液晶ディスプレイ５１の前側に配置される装飾用部材を外した状態で図示しており、遊技盤７の前記装飾部材が配置される部分は開口となっている。
【００３８】
遊技盤７の背面の液晶ディスプレイ５１の後方側に、副制御処理部５２が配置され、その下側に主制御処理部５３が備えられている。これら副制御処理部５２および主制御処理部５３は、例えば、主制御処理部５３の制御基板ケース４０を除いて従来の副制御処理部１８および主制御処理部１７と同様の構成のものを用いることができる。主制御処理部１７には、制御基板４１を収納する上述の制御基板ケース４０が備えられている。
【００３９】
図５から図８に示すように、制御基板ケース４０は、遊技用制御基板４１が受け入れられて固定された状態に収納される受部ケース４２と、この受部ケース４２に係合して、受部ケース４２に固定された制御基板４１を覆うように配置される蓋部ケース４３と、後述の封印シール４４と、この封印シール４４を覆って保護する断面コ字状の透明カバー４５とを備える。
【００４０】
受部ケース４２は、扁平な矩形箱状に形成され、内部に受部ケース４２より少し面積が小さい制御基板４１が固定された状態に収納されている。
蓋部ケース４３は、受部ケース４２に係合されて箱状の受部ケース４２の開口を塞ぎ、受部ケース４２と蓋部ケース４３とにより、受部ケース４２内の制御基板４１への外部からの操作、例えば、実装された部品としての遊技用ワンチップマイコン等を取り外したりすることができないようにしている。
【００４１】
なお、制御基板４１には、副制御処理部５２へのコマンドの送信や、ホールコンピュータへの管理用の情報の出力や、電源の入力のために、図７に示すように複数のコネクタ４１ａ，４１ｂ，４１ｃ，４１ｄ，４１ｅ，４１ｆが設けており、蓋部ケース４３は、制御基板４１のこれらコネクタ４１ａ，４１ｂ，４１ｃ，４１ｄ，４１ｅ，４１ｆの部分を露出するようになっている。
【００４２】
また、制御基板４１上に実装される図示しない遊技用ワンチップマイコンには、当該遊技用ワンチップマイコンを各パチンコ遊技機の遊技用ワンチップマイコン毎に識別可能な識別情報としての制御装置情報が例えばＲＯＭ等の不揮発性の記憶装置に記憶されている。この制御装置情報を読み取る所定の読取装置のコネクタが接続可能なコネクタ部４１ｇが制御基板４１に設けられている。
【００４３】
蓋部ケース４３には、このコネクタ部４１ｇの部分に切欠部が設けられ、コネクタ部４１ｇの部分が読取装置のコネクタを接続可能に開放された状態となっている。
また、受部ケース４２に蓋部ケース４３を係合した状態で、受部ケース４２と蓋部ケース４３を分離できないように固定するカシメ部４６が設けられている。
【００４４】
カシメ部４６では、受部ケース４２と蓋部ケース４３とがカシメネジ４７（図８に図示）により締結されているとともに、カシメネジ４７の頭部が受部ケース４２側の筒状の構造内に挿入された状態で封入されており、カシメ部４６を復元できない状態に破損させないと、受部ケース４２と蓋部ケース４３とを分離できない構造となっている。この場合に、カシメ部４６を見た際に、カシメ部４６が破損もしくは除去されていることにより、制御基板ケース４０を開けたことが分かることになる。
【００４５】
通常、受部ケース４２と蓋部ケース４３とを分離する際には、カシメ部４６を切断して切り離すことになる。
また、カシメ部４６は、左右方向に長い横長の矩形状の制御基板ケース４０の左右端部のうちの例えば図上左側（遊技機を背面側から見た場合）の端部に設けられている。
【００４６】
また、制御基板ケース４０の右側の端部には、封印シール４４を貼付するための貼付部４９（図８に図示）が設けられている。上述の透明カバー４５は、略矩形状の制御基板ケース４０の貼付部４９を覆う形状となっており、その為に断面コ字状となっている。
【００４７】
図９に概略を示すように制御基板ケース４０の右側端部の貼付部４９は、受部ケース４２の右端部と、蓋部ケース４３の右端部とがパチンコ遊技機の前後方向に重なった状態とされた部分の表面部分で、断面形状がコ字状となっている。なお、図９には、制御基板ケース４０の貼付部４９の概略として、制御基板ケース４０の貼付部４９およびその近傍の側面と、貼付前の封印シール４４の平面を示すものである。
【００４８】
ここで、遊技機としてのパチンコ遊技機の前後方向とは、パチンコ遊技機で遊技する遊技者を向く方向が前であり、この遊技者がパチンコ遊技機を見る方向が後である。
制御基板ケース４０の貼付部４９では、遊技機の前後方向で後側の受部ケース４２と前側の蓋部ケース４３とが重ねあわされている。
【００４９】
この貼付部４９の受部ケース４２側の遊技機の前後方向において後側を向く面（後述の認識用貼付面６１）と、上述の端面（後述の接合貼付面６２）とにＬ字状に封印シール４４が貼れるようになっている。なお、貼付部４９は、上述のようにコ字状となっており、貼付部４９の受部ケース４２の遊技機の後側を向く認識用貼付面６１と、貼付部４９の受部ケース４２の端面と蓋部ケース４３の端面とからなる接合貼付面６２と、貼付部４９の蓋部ケース４３の遊技機の前側を向く面に跨って封印シール４４をコ字状に貼付するものとしてもよい。
【００５０】
第１の実施の形態において、前記貼付部４９は、遊技機の前後方向の後側を向き、かつ受部ケース４２からなる認識用貼付面６１と、この認識用貼付面６１の図中右側に、この認識用貼付面６１に直交する接合貼付面とを備えることになる。
【００５１】
接合貼付面６２は、貼付部４９において制御基板ケース４０の端面となる部分で、遊技機の前後方向に沿っており、この前後方向に直交する側方を向く面である。この接合貼付面６２は、受部ケース４２の端面からなる第１接合貼付面６２ａと、蓋部ケース４３の端面からなる第２接合貼付面６２ｂとが略同一平面に収まるように配置されたものである。この接合貼付面６２は、受部ケース４２と、蓋部ケース４３とを分離した際に、分断されるようになっている。
【００５２】
また、遊技機の後側を向く認識用貼付面６１と、遊技機の前後方向に沿った接合貼付面６２との間には、角部６３が設けられている。認識用貼付面６１と接合貼付面６２とは、角部６３を挟んで直角に配置されている。
【００５３】
認識用貼付面６１は、後述のように封印シール４４の二次元バーコード５５が印刷された特定情報部４４ａを貼れるので、封印シール４４が貼られた状態で二次元バーコードを光学式読取装置で読み取れる状態となっている必要がある。ここで、認識用貼付面６１が平面であれば、問題がないが、大きく湾曲していたり、凹凸が有ったりすると、封印シール４４を貼った際に、二次元バーコード５５の形状に歪みが生じ、読取装置による読み取りが難しくなる。したがって、認識用貼付面６１は、多少緩やかに湾曲していてもよいが、できるだけ平面となっていることが好ましい。
【００５４】
封印シール４４には、制御基板ケース４０に貼られる面（接着面、粘着面）の反対側の表面側に封印シール４４毎に異なり、封印シール４４および封印シール４４が貼られている制御基板ケース４０を識別可能な識別情報として特定情報が二次元バーコード５５（例えば、ＱＲコード（登録商標））として印刷されている。また、二次元バーコード５５の隣には、二次元バーコード５５に変換された特定情報と同じ特定情報を示す文字列（数字列）５４が印刷されている。
【００５５】
したがって、識別情報としての特定情報は、光学式認識コードとしての二次元バーコード５５から二次元バーコード用の光学式読取装置で読み取ることができる。また、特定情報は、目視により特定情報を示す文字列５４を読むことによっても認識可能である。
また、封印シール４４の上述の二次元バーコード５５と文字列５４が印刷された部分が特定情報部４４ａとされている。封印シール４４の特定情報部４４ａの図中右隣が、制御基板ケース４０の受部ケース４２と蓋部ケース４３とを分離した際に、破損する破損部４４ｂとされている。
【００５６】
封印シール４４は、特定情報部４４ａが認識用貼付面６１に貼られ、破損部４４ｂが接合貼付面６２に貼られる。この際に、封印シール４４は、角部６３で屈曲した状態とされるので、特定情報部４４ａと破損部４４ｂとで断面Ｌ字状の形状になる。
なお、図９に示される封印シール４４においては、認識用貼付面６１に貼られる特定情報部４４ａと接合貼付面６２に貼られる破損部４４ｂの間に破線を図示したが、封印シール４４に認識用貼付面６１と、接合貼付面６２との間に破線を印刷しても、印刷しなくてもよい。
【００５７】
また、特定情報部４４ａに光学式認識コードとしての二次元バーコード５５が印刷されていれば、特定情報部４４ａに特定情報を示す文字列５４を印刷しなくてもよいし、文字列５４が特定情報部４４ａ以外の例えば破損部４４ｂに印刷されていてもよい。基本的に特定情報を示す光学式認識コードが印刷されている部分が特定情報部４４ａになる。なお、文字列５４を目視で読み易くする上では、文字列も特定情報部４４ａに配置されて認識用貼付面６１に配置されることが好ましい。
【００５８】
このような遊技機用の制御基板ケース４０にあっては、封印シール４４の二次元バーコード５５が印刷された特定情報部４４ａが、制御基板ケース４０の例えば遊技機の背面側から見て右端部にある貼付部４９の遊技機の背面側を向く認識用貼付面６１に貼られているので、遊技機の後方側から比較的容易に二次元バーコード５５を読取装置で読み取ることができる。
【００５９】
なお、パチンコ遊技機においては、機枠１に扉状に開閉自在に設けられた本体枠２を開放することにより、遊技盤７の背面側にある制御基板ケース４０を、例えば、遊技場の島設備の内側から外側に向けた状態にできる。この状態では、遊技盤７の背面側に取り付けられた制御基板ケース４０の貼付部４９の遊技盤７の背面側を向く認識用貼付面６１に配置された特定情報部４４ａの二次元バーコード５５を容易に読取装置で読み取ることができる。
【００６０】
また、封印シール４４の接合貼付面６２に貼られる破損部４４ｂは、制御基板ケース４０の受部ケース４２と、蓋部ケース４３を分離した際に、接合貼付面６２が、受部ケース４２の第１接合貼付面６２ａと、蓋部ケース４３の第２接合貼付面６２ｂとが分断され、接合貼付面６２に貼付された封印シール４４の破損部４４ｂが破損することになる。この際には、封印シール４４が復元不能に破損するとともに、破損を目視で確認可能になっている。
この封印シール４４の破損部４４ｂの破損は、回復できない状態の破損となり、一度、受部ケース４２と蓋部ケース４３と分離した場合に、制御基板ケース４０を交換したり、封印シール４４を綺麗に貼りなおしたりすることができない限り、分離したことが分かるようになっている。
【００６１】
したがって、開封されたことを確認可能な封印シール４４は、封印シール４４および制御基板ケース４０を光学式認識コードにより認識できるとともに、容易に光学式認識コードを光学式読取装置により読取ることが可能になる。
【００６２】
次に、本発明の第２の実施の形態を説明する。
第２の実施の形態は、第１の実施の形態の制御基板ケース４０の貼付部４９の構造と、封印シール４４の形状を変更したものであり、その他の構成は第１の実施の形態と同様の構成となっている。
【００６３】
第２の実施の形態においては、貼付部４９が第１の実施の形態と同様に、受部ケース４２と蓋部ケース４３とからなるが、図１０に示すように貼付部４９において、蓋部ケース４３の右側端部が受部ケース４２の右側端部より長くされるとともに、蓋部ケース４３の右側端部がパチンコ遊技機の後側に向かって直角に屈曲したＬ字状の形状とされている。
【００６４】
蓋部ケース４３の屈曲部分は、受部ケース４２の右側端部の端面に略接触した状態とされ、貼付部４９の受部ケース４２のパチンコ遊技機の後側を向く面と、蓋部ケース４３の屈曲した端部の先端面とが略同一の平面内に配置されるようになっている。
【００６５】
この受部ケース４２のパチンコ遊技機の後側を向く面（例えば、遊技機背面の取付状態で検査員に臨む側の面）と、蓋部ケース４３の屈曲した端部の先端面とから貼付部４９の認識用貼付面６１が形成される。また、認識用貼付面６１は、第１の実施の形態における接合貼付面６２を兼ねたものとなっている。接合貼付面６２である認識用貼付面６１は、受部ケース４２の遊技機の後側を向く面である第１接合貼付面６２ａと、蓋部ケース４３の遊技機の後側を向く先端面である第２接合貼付面６２ｂとからなる。第１接合貼付面６２ａと第２接合貼付面６２ｂとの境６４は、貼付部４９の端側の端部に配置されることになり、封印シール４４は、この境６４を跨いで貼付される必要がある。
【００６６】
この認識用貼付面６１を兼ねる接合貼付面６２が、一つの平面から構成されることから、上述のように特定情報を示す二次元バーコード５５が印刷されるとともに開封時に破損されて開封を報知する封印シール４４が平面状に貼られるようになっている。すなわち、封印シール４４は、Ｌ字状やコ字状に折り曲げられることなく、平らな状態で貼付部４９に貼付される。なお、貼付部４９も断面コ字状やＬ字状ではなく、断面直線状になる。
【００６７】
この接合貼付面６２を兼ねる認識用貼付面６１には、封印シール４４が略全面に渡って貼付される。また、封印シール４４の全てが認識用貼付面６１に貼られることから、封印シール４４の全体を特定情報部４４ａとすることができる。また、認識用貼付面６１が接合貼付面６２を兼ねて、受部ケース４２と蓋部ケース４３の分離時に分断されて封印シール４４を破損させることから、封印シール４４の全体が特定情報部４４ａであるとともに、その少なくとも一部が受部ケース４２と蓋部ケース４３との分離時に破損させられる破損部４４ｂを兼ねたものとなっている。
【００６８】
第２実施形態においても、封印シール４４が貼られる貼付部４９に、受部ケース４２の一部である第１接合貼付面６２ａと、蓋部ケース４３の一部である第２接合貼付面６２ｂとからなる接合貼付面６２があることから、受部ケース４２と蓋部ケース４３を分離すると、第１の実施の形態の場合と同様に接合貼付面６２が分断されて封印シール４４が破損することになる。
【００６９】
したがって、第２の実施の形態の制御基板ケース４０は、第１の実施の形態の場合と同様の作用効果を奏する。
なお、封印シール４４を受部ケース４２と蓋部ケース４３の分離時に破損する方法としては、上述のように接合貼付面６２が分断される構成だけではなく、例えば、受部ケースからなる認識用貼付面６１にスリットを設け、受部ケース４２から蓋部ケース４３を分離する際に、前記スリットに蓋部ケース４３に設けられた突出部が貫通（挿通）された状態でスリットに沿って移動する構造が考えられる。この場合に、スリットに跨って貼られた封印シール４４がスリットに沿って移動する突出部により破損させられることになる。
【００７０】
また、例えば、貼付部４９が受部ケース４２と蓋部ケース４３とが互いに対向する部分に設けられ、これら受部ケース４２と蓋部ケース４３とに封印シールが挟まれた状態で配置されるとともに、受部ケース４２と蓋部ケース４３との両方に貼付された状態としてもよい。
この場合に、受部ケース４２と蓋部ケース４３を分離する場合に、封印シール４４が両面から引っ張られて破損することになる。
【００７１】
なお、この場合には、受部ケース４２の封印シール４４が貼られる部分が認識用貼付面６１になるが、少なくとも受部ケースの認識用貼付面６１が設けられる部分を透明にして、認識用貼付面６１に貼られる封印シール４４の二次元バーコード５５および文字列５４を遊技機後方側から認識可能とする必要がある。この場合に透明カバー４５を設けないものとしてもよい。なお、透明カバー４５は、必ずしも必須ではなく、第１および第２の実施の形態でも透明カバー４５を設けないものとしてもよい。
【００７２】
また、封印シール４４を破損する方法として、受部ケース４２と蓋部ケース４３を分離する際に受部ケースの認識用貼付面６１を構成する部分が折れることにより封印シール４４を破損するものであってもよいし、受部ケース４２と蓋部ケース４３を分離する際に作動する機械的な構造により封印シール４４を破損するものとしてもよい。
【００７３】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることは勿論であることを付け加えておく。
【符号の説明】
【００７４】
４０      制御基板ケース
４１      遊技用制御基板
４２      受部ケース
４３      蓋部ケース
４４      封印シール
４４ａ    特定情報部
４６      カシメ部
４９      貼付部
５３      二次元バーコード（光学式認識コード）
６１      認識用貼付面
６２      接合貼付面
６３      角部
【図１】
2014104028.tif 000003
【図２】
2014104028.tif 000004
【図３】
2014104028.tif 000005
【図４】
2014104028.tif 000006
【図５】
2014104028.tif 000007
【図６】
2014104028.tif 000008
【図７】
2014104028.tif 000009
【図８】
2014104028.tif 000010
【図９】
2014104028.tif 000011
【図１０】
2014104028.tif 000012
【図１１】
2014104028.tif 000013
【図１２】
2014104028.tif 000014
【図１３】
2014104028.tif 000015